(57)【特許請求の範囲】
【請求項１】
人が手を添え、つかまるために設けられた身体動作を補助する手すりであって、台形形状の台形部と直線状の直線部とを交互に、長手方向に設け、台形部の手前の手すりの直線部に垂直な握り部と台形部の後方に傾斜部を備えた手すりで構成され、階段を上る場合、階段下のフラット床面から階段の踏面に足を運び、手を手すりの直線部に沿って移動させ、台形部の手前の手すりの直線部の垂直な握り部を握り、体を引き寄せながら足を運べば楽に上り階段を先に進め、体が台形部の位置に来たなら台形部の後方の傾斜部を握り、体を離すように押し、足を次の踏み面に運べば楽に安全に上り階段を先に進める、上る動作の補助の役目をする台形部の手前の手すりの直線部に垂直な握り部と台形部の後方に傾斜部を設けたことを特徴とする手すり。
【発明の詳細な説明】
【技術分野】
【０００１】
本発明は、高齢者、障害者、子供等に限らず一般の歩行者でも安全に歩行するための歩道やスロープ、階段などに設置する手すりに関するものである。
【背景技術】
【０００２】
歩道や建築物内の歩行やスロープ、階段上り下りには人が手を添え、つかまるための身体動作を補助する手すりが設けてある。  従来の設置されている一般的な手すりは、手の握力が衰えた高齢者、障害者、子供等は、表面が平坦、且つ、直線状でつるつるしているため、しっかりと手すりを握ることが出きないものであった。又、手が滑って確実に身体動作の補助する手段としては不都合があった。
【特許文献１】特開２００３−５６１４９号公報（第３頁、図１，２，３）
【特許文献２】特開２００２−２０１７８４号公報（第１３頁、図１）
【発明の開示】
【発明が解決しようとする課題】
【０００３】
本発明は、手の握力が衰えた高齢者、障害者、子供、或いは一般の人でも軽い手の力で安全に安心して身体動作を補助し、歩道や建築物内の歩行やスロープ、階段を上り下りできるような手すりを開発することを課題とする。
【課題を解決するための手段】
【０００４】
上記の課題を解決するために講じた手段は次の通りである。
第1の手段は台形形状に形成された台形部（１）と直線状の直線部（２）とを交互に、長手方向に設けたことを特徴とする、手すりである。
【０００５】
第２の手段は台形形状に形成された台形部（１）に垂直な握り部を握って体を引き寄せながら上ることで上る動作の補助の役目をする垂直な握り部（１２）を設けたことを特徴とする、手すりである。
【発明の効果】
【０００７】
本発明は次のような効果がある。
（ａ）スロープや階段において、手すりを傾斜に沿って設けた場合には、手すりの台形部（１）の垂直な握り部（１２）を握りやすい状態で握り上り下りできるので、握力が弱い人でも力をいれ握ることができ、手が手すりから滑りにくい。
【０００８】
（ｂ）台形形状の台形部（１）と直線状の直線部（２）とを交互に、長手方向に設けているので、手すりから離れないように手を手すりに沿って滑らせ移動させることができ、手が手すりから離れる不安感を取り去り易い。又、手すりに沿って移動すれば、握った手が滑っても、手は台形形状の台形部（１）が抵抗になって止まり易い。
【０００９】
（ｃ）スロープや階段を上がる時、台形形状に形成された台形部（１）の垂直な握り部（１２）を握って体を引き寄せながら上ることで上る動作の補助の役目をするので上りが容易になる。又、下る時、垂直な握り部（１２）を握りながら下ることで手は手すりから滑りにくく、手を滑らせて転倒等してしまう危険性が少ない。
【発明を実施するための最良の形態】
【００１０】
本発明を実施するための最良の形態を図１乃至図４に基づき具体的に説明する。
図１は手すりを階段に取り付けた状態の実施例を示す説明図である。
図２は図１に示す手すりの平面図である。
図３は台形形状に形成された台形部と直線状をなす直線部とを設けた手すりの拡大平面図である。
図４は本発明の直線状をなす直線部と台形形状に形成された台形部とを設けた手すりを既存の手すりに取り付けた状態の実施例を示す拡大説明図。
【００１１】
手すり（Ｔ１）は台形形状に形成された台形部（１）、直線状をなす直線部（２）、端部を保護するキャップ体（３）、手すり（Ｔ１）を支えるサポート部材（４）、階段壁面（６）に手すり（Ｔ１）を取り付け固定する当て具（５）から構成される。台形部（１）の手前には、握力が弱い高齢者や子供でも楽な状態で握れるように垂直な握り部（１２）を設けている。
【実施例】
【００１２】
まず、手すり（Ｔ１）を使用して階段を上る場合について説明する。
階段（７）の傾斜に沿って取り付けた手すり（Ｔ１）には、直線部（２）、台形部（１）が交互に、長さ方向に構成される。  階段下のフラット床面（１０）から階段（７）の踏面（８）に足を運び、手を手すりの直線部（２）に沿って移動させ、台形部（１）の手前の垂直な握り部（１２）を軽く握り、体を引き寄せながら足を運べば楽に上り階段を先に進める、体が台形部（１）の位置に来たなら台形部（１）後方の傾斜部を握り、体を離すように押し、足を次の踏面（８）に運べば楽に安全に、安心して上り階段を先に進める。
【００１３】
次に階段（７）を下る場合について説明する。
階段上のフラット床面（１１）から階段（７）の下り踏面（８）に足を運び、手を手すりの直線部（２）から台形部（１）に沿って移動させ、台形部（１）の手前の傾斜部を軽く握り体を引き寄せながら足を運べば楽に下り階段を先に進める、体が台形部（１）の位置に来たなら台形部（１）の後方の垂直な握り部（１２）を握り、体を離すように押し、足を次の踏み面（８）に運べば前に転げ落ちる事無く下り階段を先に進める。
【００１４】
次に図４において、台形部（１）を設けた本発明の手すりを既存の手すり（１４）に取り付ける場合を説明する。
既存の手すり（１４）と同サイズで、両端に短い直線部（２）中央に台形部（１）を設けた手すり（Ｔ２）準備し、手すり（Ｔ２）の長さに既存の手すり（１４）の途中を切断し、準備した手すり（Ｔ２）を切断した箇所にはめ込み、上部、下部の固定金具（１５，１６）を使い手すり（Ｔ２）の直線部（２）と既存の手すり（１４）の切断された直線部とを固定することで本発明の台形部（１）を設けた手すり（Ｔ２）を既存の手すり（１４）に活用できる。なお、手すり（Ｔ２）は既存の手すり（１４）を切断し取り付ける構造にすることに限定するものでなく、たとえば、既存の手すり（１４）を覆うような構造の手すり（Ｔ２）を作ることもできる。
【図面の簡単な説明】
【００１５】
【図１】本発明の手すりを階段に取り付けた状態の実施例を示す説明図。
【図２】図１に示す手すりの平面図。
【図３】本発明の台形形状に形成された台形部と直線をなす直線部とを設けた手すりの拡大平面図。
【図４】本発明の直線状をなす直線部と台形形状に形成された台形部とを設けた手すりを既存の手すりに取り付けた状態の実施例を示す拡大説明図。
【符号の説明】
【００１６】
T１  階段使用の手すり
T２  既存手すりに使用の手すり
１  台形部
２  直線部
３  キャップ体
４  サポート部材
５  当て具
６  階段壁面
７  階段
８  階段踏面
９  階段蹴上げ面
１０  階段の下のフラットな床面
１１  階段を上りきったフラットな床面
１２  垂直な握り部
１４  既存の直線状の手すり
１５  上部固定部材
１６  下部固定部材
【図１】
0004688412.tif 000002
【図２】
0004688412.tif 000003
【図３】
0004688412.tif 000004
【図４】
0004688412.tif 000005